(57)【要約】  【課題】送風ダクト内への補償用ヒータの設置が不要な低コストで省エネが実現できる冷蔵庫を提供する。  【解決手段】各貯蔵室を冷却するための冷却器１１０と、冷却器１１０の下方に配設された除霜ヒータ１２０と、冷却器１１０により冷却された冷気を循環させる送風機１３０と、冷蔵室１０１に冷気を導く冷蔵室吐出風路１４１と、冷蔵室１０１に送られた冷気を冷却器１１０に戻す冷蔵室戻り風路１７１と、冷蔵室戻り風路１７１と冷却器１１０とを断熱する断熱壁１０７と、貯蔵室への送風量を制御するために冷蔵室吐出風路１４１に構成された電動ツインダンパー１５０と、冷却運転を制御する制御手段１８０とからなり、制御手段１８０は、除霜運転中もしくは除霜完了直後に電動ツインダンパー１５０を開状態とすることにより、冷蔵室戻り風路１７１内の暖気上昇が活発となるので、除霜運転毎に冷蔵室戻り風路１７１内に成長する霜を除霜することができる。【選択図】図１
2008075939.tif 000002
【特許請求の範囲】
【請求項１】
断熱箱体の内部に冷蔵温度帯の貯蔵室と冷凍温度帯の貯蔵室が形成された冷蔵庫において、前記貯蔵室を冷却するための冷却器と、前記冷却器の下方に配設された除霜ヒータと、前記冷却器により冷却された冷気を循環させる送風機と、前記冷蔵温度帯の貯蔵室に冷気を導く吐出風路と、前記冷蔵温度帯の貯蔵室に送られた冷気を前記冷却器に戻す戻り風路と、前記戻り風路と前記冷却器とを断熱する断熱仕切りと、前記貯蔵室への送風量を制御するために前記吐出風路に構成された風路切替え手段と、前記冷蔵庫の冷却運転を制御する制御手段とからなり、前記制御手段は、除霜運転中もしくは除霜完了直後に前記風路切換え手段を開状態とすることを特徴とする冷蔵庫。
【請求項２】
断熱箱体の内部に冷蔵温度帯の貯蔵室と冷凍温度帯の貯蔵室が形成された冷蔵庫において、前記貯蔵室を冷却するための冷却器と、前記冷却器の下方に配設された除霜ヒータと、前記冷却器により冷却された冷気を循環させる送風機と、前記冷蔵温度帯の貯蔵室に冷気を導く吐出風路と、前記冷蔵温度帯の貯蔵室に送られた冷気を前記冷凍温度帯の貯蔵室の後方を介して前記冷却器に戻す戻り風路と、前記貯蔵室への送風量を制御するために前記吐出風路に構成された風路切替え手段と、前記冷蔵庫の冷却運転を制御する制御手段とからなり、前記制御手段は、除霜運転中もしくは除霜完了直後に前記風路切換え手段を開状態とすることを特徴とする冷蔵庫。
【請求項３】
断熱箱体の内部に冷蔵温度帯の貯蔵室と冷凍温度帯の貯蔵室が形成された冷蔵庫において、前記貯蔵室を冷却するための冷却器と、前記冷却器の下方に配設された除霜ヒータと、前記冷却器により冷却された冷気を循環させる送風機と、前記冷蔵温度帯の貯蔵室に冷気を導く第１吐出風路と、前記冷蔵温度帯の貯蔵室に送られた冷気を前記冷凍温度帯の貯蔵室の後方を介して冷却器に戻す第１戻り風路と、前記冷凍温度帯の貯蔵室に冷気を導く第２吐出風路と、前記冷凍温度帯の貯蔵室に送られた冷気を前記冷却器に戻す第２戻り風路と、送風量を制御するために前記第１吐出風路に構成された第１風路切替え手段と、送風量を制御するために前記第２吐出風路に構成された第２風路切替え手段と、前記冷蔵庫の冷却運転を制御する制御手段とからなり、前記制御手段は、除霜運転中もしくは除霜完了直後に前記第１風路切換え手段と前記第２風路切換え手段を開状態とすることを特徴とする冷蔵庫。
【請求項４】
前記制御手段は、除霜運転中に前記第２風路切換え手段を所定時間開放した後、前記第１風路切換え手段を所定時間開放することを特徴とする請求項３に記載の冷蔵庫。
【請求項５】
前記制御手段は、除霜運転開始後所定時間遅延後に前記風路切換え手段を開放することを特徴とする請求項１から請求項４のいずれか一項に記載の冷蔵庫。
【請求項６】
前記制御手段は、除霜運転後の冷却運転開始から所定時間、前記第１風路切換え手段を閉状態とすることを特徴とする請求項１から請求項５のいずれか一項に記載の冷蔵庫。
【発明の詳細な説明】
【技術分野】
【０００１】
本発明は、冷蔵室の下方に冷凍室および冷却器を配設した冷蔵庫に関するものである。
【背景技術】
【０００２】
近年、低コスト化の取組みとして、１つの冷却器で複数の温度帯の貯蔵室を、複数の冷却風路を構成して冷却する冷蔵庫が提案されている（例えば、特許文献１参照）。
【０００３】
以下、図面を参照にしながら上述した冷蔵庫の一例について説明する。図１０、図１１は従来の冷蔵庫の一例を示すもので１は断熱箱体、２は断熱箱体１内に形成された冷蔵室、３は冷凍室、４は野菜室である。冷凍室３の背部には、冷却器室５があり、この冷却器室５内には、冷却器６で冷却された冷気を送るためのファン装置７、冷却器６、除霜ヒータ２１が上から順に配設されている。ファン装置７により送風された冷気の一部は冷凍室用吐出口８を通じて直接冷凍室３内に送られ、冷凍室用戻り口９を通じて冷却器室５内に戻される。１０は冷蔵室２に冷気を送るための冷蔵室用吐出風路、１１は野菜室４に冷気を送るための冷蔵室用戻り風路、１２は野菜室４に送風した冷気を冷却器室５に戻すための野菜室用戻り風路である。しかしながら、上記の構成では、冷蔵室２を通じて野菜室４に冷気を供給するので冷蔵室用吐出風路１０の風量を相当大きくしないと、冷蔵室用戻り風路１１内での温度が高いので、夏場や設置条件等により目標温度に対して野菜室４の温度が高くなる欠点があった。
【０００４】
図１２、図１３、図１４、図１５は上記の問題点を改善したもので冷蔵室用吐出風路１０を通り冷蔵室用冷気吐出口１３より冷蔵室２に送られる。冷蔵室２内に送られた冷気は冷蔵室用戻り口１４より冷蔵室用戻り風路１１を通って直接冷却器室５内に戻る。一方、野菜室４に送られる冷気は冷蔵室用吐出風路１０の途中で分岐され、冷蔵室用戻り風路１１の反対サイドに設けられた野菜室用吐出風路１５を通り、野菜室４に送られる。野菜室４に送られた冷気は、野菜室用戻り口１６より野菜室用戻り風路１２を通って冷却器室５内に戻る。また、上記の構成では、冷蔵室２からの暖湿の空気が冷蔵室用戻り風路１１内を通過するため、冷却器室５と冷蔵室用戻り風路１１との間を断熱した断熱仕切り１７、冷蔵室用戻り風路１１の外周には温度補償用ヒータ２２が配設されている。
【特許文献１】特開平３−２６７６７７号公報
【発明の開示】
【発明が解決しようとする課題】
【０００５】
しかしながら、上記のような構成では、冷却器室５の横に配置された冷蔵室用戻り風路１１の外周に温度補償用ヒータ２２を配設しているため、消費電力量が高くなり、またコスト高となる問題があった。
【０００６】
本発明は上記従来の課題を解決するもので、消費電力量を抑制し低コストで冷蔵室用戻り風路の信頼性を確保できる冷蔵庫を提供することを目的とする。
【課題を解決するための手段】
【０００７】
上記従来の課題を解決する為に、本発明の冷蔵庫は、断熱箱体の内部に冷蔵温度帯の貯蔵室と冷凍温度帯の貯蔵室が形成された冷蔵庫において、前記貯蔵室を冷却するための冷却器と、前記冷却器の下方に配設された除霜ヒータと、前記冷却器により冷却された冷気を循環させる送風機と、前記冷蔵温度帯の貯蔵室に冷気を導く吐出風路と、前記冷蔵温度帯の貯蔵室に送られた冷気を前記冷却器に戻す戻り風路と、前記戻り風路と前記冷却器とを断熱する断熱仕切りと、前記貯蔵室への送風量を制御するために前記吐出風路に構成された風路切替え手段と、前記冷蔵庫の冷却運転を制御する制御手段とからなり、前記制御手段は、除霜運転中もしくは除霜完了直後に前記風路切換え手段を開状態とするものである。
【０００８】
これによって、風路全体が開回路となり、風路内での対流が活発となり戻り風路の温度上昇が促進されることで、除霜運転中に風路内に成長した霜を融かすことができる。
【発明の効果】
【０００９】
本発明の冷蔵庫は、断熱箱体の内部に冷蔵温度帯の貯蔵室と冷凍温度帯の貯蔵室が形成された冷蔵庫において、前記貯蔵室を冷却するための冷却器と、前記冷却器の下方に配設された除霜ヒータと、前記冷却器により冷却された冷気を循環させる送風機と、前記冷蔵温度帯の貯蔵室に冷気を導く吐出風路と、前記冷蔵温度帯の貯蔵室に送られた冷気を前記冷却器に戻す戻り風路と、前記戻り風路と前記冷却器とを断熱する断熱仕切りと、前記貯蔵室への送風量を制御するために前記吐出風路に構成された風路切替え手段と、前記冷蔵庫の冷却運転を制御する制御手段とからなり、前記制御手段は、除霜運転中もしくは除霜完了直後に前記風路切換え手段を開状態とすることで、風路内の昇温が促進され除霜運転中に風路内に成長した霜を融かすことが可能となり、温度補償用のヒータを削減することができる。
【発明を実施するための最良の形態】
【００１０】
請求項１に記載の発明は、断熱箱体の内部に冷蔵温度帯の貯蔵室と冷凍温度帯の貯蔵室が形成された冷蔵庫において、前記貯蔵室を冷却するための冷却器と、前記冷却器の下方に配設された除霜ヒータと、前記冷却器により冷却された冷気を循環させる送風機と、前記冷蔵温度帯の貯蔵室に冷気を導く吐出風路と、前記冷蔵温度帯の貯蔵室に送られた冷気を前記冷却器に戻す戻り風路と、前記戻り風路と前記冷却器とを断熱する断熱仕切りと、前記貯蔵室への送風量を制御するために前記吐出風路に構成された風路切替え手段と、前記冷蔵庫の冷却運転を制御する制御手段とからなり、前記制御手段は、除霜運転中もしくは除霜完了直後に前記風路切換え手段を開状態とすることで、前記戻り風路内の昇温が促進され除霜運転中に風路内に成長した霜を融かすことが可能となり、温度補償用のヒータを削減することができる。
【００１１】
請求項２に記載の発明は、断熱箱体の内部に冷蔵温度帯の貯蔵室と冷凍温度帯の貯蔵室が形成された冷蔵庫において、前記貯蔵室を冷却するための冷却器と、前記冷却器の下方に配設された除霜ヒータと、前記冷却器により冷却された冷気を循環させる送風機と、前記冷蔵温度帯の貯蔵室に冷気を導く吐出風路と、前記冷蔵温度帯の貯蔵室に送られた冷気を前記冷凍温度帯の貯蔵室の後方を介して前記冷却器に戻す戻り風路と、前記貯蔵室への送風量を制御するために前記吐出風路に構成された風路切替え手段と、前記冷蔵庫の冷却運転を制御する制御手段とからなり、前記制御手段は、除霜運転中もしくは除霜完了直後に前記風路切換え手段を開状態とすることで、前記戻り風路内の昇温が促進され除霜運転中に風路内に成長した霜を融かすことが可能となり、温度補償用のヒータを削減することができる。
【００１２】
請求項３に記載の発明は、断熱箱体の内部に冷蔵温度帯の貯蔵室と冷凍温度帯の貯蔵室が形成された冷蔵庫において、前記貯蔵室を冷却するための冷却器と、前記冷却器の下方に配設された除霜ヒータと、前記冷却器により冷却された冷気を循環させる送風機と、前記冷蔵温度帯の貯蔵室に冷気を導く第１吐出風路と、前記冷蔵温度帯の貯蔵室に送られた冷気を前記冷凍温度帯の貯蔵室の後方を介して冷却器に戻す第１戻り風路と、前記冷凍温度帯の貯蔵室に冷気を導く第２吐出風路と、前記冷凍温度帯の貯蔵室に送られた冷気を前記冷却器に戻す第２戻り風路と、送風量を制御するために前記第１吐出風路に構成された第１風路切替え手段と、送風量を制御するために前記第２吐出風路に構成された第２風路切替え手段と、前記冷蔵庫の冷却運転を制御する制御手段とからなり、前記制御手段は、除霜運転中もしくは除霜完了直後に前記第１風路切換え手段と前記第２風路切換え手段を開状態とすることで、前記第１戻り風路内の昇温が促進され除霜運転中に風路内に成長した霜を融かすことが可能となり、温度補償用のヒータを削減することができる。
【００１３】
請求項４に記載の発明は、請求項３に記載の発明に加えて、前記制御手段が、除霜運転中に前記第２風路切換え手段を所定時間開放した後、前記第１風路切換え手段を所定時間開放することで、前記第１戻り風路内の昇温がより促進され除霜運転中に風路内に成長した霜を融かすことが可能となり、温度補償用のヒータを削減することができる。
【００１４】
請求項５に記載の発明は、請求項１から請求項４のいずれか一項に記載の発明に加えて、前記制御手段が、除霜運転開始後所定時間遅延後に前記風路切換え手段を開放することで、前記除霜ヒータが十分に暖められた後に前記第２風路切換え手段を開放されるので、風路内の暖気の上昇を効果的に活用できる。
【００１５】
請求項６に記載の発明は、請求項１から請求項５のいずれか一項に記載の発明に加えて、前記制御手段は、除霜運転後の冷却運転開始から所定時間、前記第１風路切換え手段を閉状態とすることで、加えて、冷蔵室戻り風路１７１に上から下に向けた気流が形成されることで、風路内に付着した除霜水の排水を促進することができる。
【００１６】
以下、本発明の実施の形態について、図面を参照しながら説明するが、従来例または先に説明した実施の形態と同一構成については同一符号を付して、その詳細な説明は省略する。
【００１７】
なお、この実施の形態によってこの発明が限定されるものではない。
【００１８】
（実施の形態１）
図１は本発明の実施の形態１における冷蔵庫の風路構成図である。図２は本発明の実施の形態１における図１のＡ−Ａ断面図である。図３は本発明の実施の形態１における図１のＢ−Ｂ断面図である。図４は本発明の実施の形態１における除霜運転時の空気の対流を示す動作図である。図５は本発明の実施の形態１における動作フロー図である。
【００１９】
図１、図２、図３において、冷蔵庫本体１００は、上から順に冷蔵室１０１、製氷室１０２、切換室１０３、野菜室１０４、冷凍室１０５が区画形成されている。
【００２０】
ここで、切換室１０３は、ユーザの設定により少なくとも冷蔵温度帯と冷凍温度帯に切換え可能となっている。
【００２１】
冷却室１０６は、野菜室１０４および冷凍室１０５の後方に区画形成され、下端１０６ａが開放されており、主に冷却器１１０、除霜ヒータ１２０、冷却ファン１３０が配設されている。
【００２２】
冷却器１１０は、クロスフィンコイル式の熱交換器であり、主に、冷却管１１１と、フィン１１２と、アキュームレータ１１３とから構成されている。
【００２３】
さらに、アキュームレータ１１３には、除霜運転の終了温度を検知するサーミスタ１１４が密着固定されている。
【００２４】
除霜ヒータ１２０は、除霜運転により冷却器１１０の着霜を除霜することを目的に冷却器１１０の下方に配設された二重管式のラジアントヒータである。
【００２５】
ここで、本実施の形態で除霜ヒータ１２０は、冷蔵室戻り風路１７１の下部にヒータの発熱部が位置するように配設されている。
冷却ファン１３０は、冷却室１０６内の冷却器１１０上方に配設された軸流式の送風機である。
【００２６】
吐出風路１４０は、冷却ファン１３０の吹出し口と各貯蔵室を結ぶ風路であり、主に冷蔵室吐出風路１４１と、製氷室吐出風路１４２と、切換室吐出風路１４３と、冷凍室吐出風路１４４から構成されている。
【００２７】
冷蔵室吐出風路１４１は、冷却ファン１３０の吹出し口から、切換室１０３の背面を経由して冷蔵室１０１内に冷気を導くための風路である。
【００２８】
切換室吐出風路１４２は、冷却ファン１３０の吹出し口から、切換室１０３内に冷気を導くための風路である。
【００２９】
ここで、電動ツインダンパー１５０は、風路を開閉する機能を有しており（詳細説明省略）、本実施の形態では、冷蔵室吐出風路１４１には開閉フラップ１５１が、切換室吐出風路１４２には開閉フラップ１５２が構成され、これらのフラップの開閉制御を１つのアクチュエータで制御可能なように構成されている。
【００３０】
製氷室吐出風路１４３は、冷却ファン１３０の吹出し口から、製氷室１０２内に冷気を導くための風路である。
【００３１】
ここで、電動ダンパー１６０は、風路を開閉する機能を有しており（詳細説明省略）、製氷室吐出風路１４３には開閉フラップ１６１が構成され開閉制御が可能になっている。
【００３２】
冷凍室吐出風路１４４は、冷却室１０６と冷凍室１０５の間に構成され、冷却ファン１３０の吹出し口から、冷凍室１０５内に冷気を導くための風路である。
【００３３】
戻り風路１７０は、各貯蔵室と冷却室下端１０６ａを結ぶ風路であり、主に冷蔵室戻り風路１７１、切換室戻り風路１７２、製氷室戻り風路１７３、野菜室戻り風路１７４から構成されている。
【００３４】
冷蔵室戻り風路１７１は、冷蔵室１０１から、切換室１０３、野菜室１０４、冷凍室１０５の背面を経由し、各貯蔵室と所定厚みの断熱壁を確保して、冷却室下端１０６ａに冷蔵室１０１からの戻り冷気を導くための風路である。
【００３５】
ここで、冷蔵室戻り風路１７１は、冷却室１０６と近接する部分が生じることから、これらの区画の熱移動を抑制するため、断熱壁１０７により互いの区画が仕切られている。
【００３６】
切換室戻り風路１７２は、切換室１０３からの戻り冷気を冷却室下端１０６ａに導くための風路であり、野菜室１０４の背面で冷蔵室戻り風路１７１に連結されている。
【００３７】
製氷室戻り風路１７３は、製氷室１０２から、野菜室１０４、冷凍室１０５の背面を経由して、冷却室下端１０６ａに製氷室１０１からの戻り冷気を導くための風路である。
【００３８】
ここで、製氷室戻り風路１７３は、冷却室１０６と近接する部分が生じることから、これらの区画の熱移動を抑制するため、断熱壁１０８により互いの区画が仕切られている。
【００３９】
ここで、野菜室１０４の風路としては、野菜室１０４上部でかつ冷蔵室戻り風路１７１に形成された取入れ口１０４ａから冷蔵室１０１の戻り冷気の一部が野菜室１０４内に流入し、野菜室１０４下部に配設された戻り口１０４ｂから野菜室戻り風路１７４に連結される。
【００４０】
野菜室戻り風路１７４は、戻り口１０４ｂからの戻り冷気を冷却室下端１０６ａに導くための風路である。
【００４１】
制御部１８０は、少なくとも圧縮機（詳細説明を省く）、除霜ヒータ１２０、冷却ファン１３０、電動ツインダンパー１５０、電動ダンパー１６０の制御を行う。
【００４２】
以上のように構成された冷蔵庫について、以下その動作、作用を説明する。
【００４３】
まず、図１、図２、図３において、冷却運転時の冷気の流れについては、圧縮機の動作により冷却器１１０が冷却される。次に冷却ファン１３０が起動すると、冷却室下端１０６ａから吸い上げられた空気が冷却器１１０で冷却され、冷却ファン１３０から吐出風路１４０に吹出される。
【００４４】
このとき、各貯蔵室内の設けられた検温サーミスタ１１４（詳細説明を省く）の示す温度が設定値より高い場合、制御部１８０により、電動ツインダンパー１５０および電動ダンパー１６０はそれぞれ開状態となり、各貯蔵室への送風が可能となる。
【００４５】
冷蔵室１０１においては、冷蔵室吐出風路１４１から冷蔵室１０１内に吹出された冷気が収納食材により暖められるとともに、収納食材が放出する湿気を吸収して冷蔵室戻り風路１７１に吸引される。つまり、冷蔵室戻り風路１７１内の空気は高湿状態となる。
【００４６】
次に、冷蔵室戻り風路１７１内の空気は、切換室１０３の背面を通過するが、切換室１０３が冷凍設定の場合、切換室１０３内の温度影響により第一内壁１７１ａがマイナス温度となる。このため、冷蔵室戻り風路１７１内の空気が高湿であることから、第一内壁１７１ａは着霜することになる。
【００４７】
従来技術の冷蔵庫では、第一内壁１７１ａに温度補償用のヒータを配設して、外気温度や冷蔵庫の運転モードによりあらかじめ定められた通電率で温度補償用ヒータに通電して第一内壁１７１ａへの着霜を防止していた。
【００４８】
さらに、野菜室１０４内では、取入れ口１０４ａから冷蔵室１０１の戻り冷気の一部が野菜室１０４内に流入し、戻り口１０４ｂから野菜室戻り風路１７４を経て冷却室下端１０６ａに吸引される。
【００４９】
ここで、冷蔵室戻り風路１７１と冷却室１０６が断熱壁１０７で仕切られているが、冷却室１０６の温度影響により、第二内壁１７１ｂがマイナス温度となり、第二内壁１７１ｂは着霜することになる。
【００５０】
従来技術の冷蔵庫では、第二内壁１７１ｂに温度補償用のヒータを配設して、外気温度や冷蔵庫の運転モードによりあらかじめ定められた通電率で温度補償用ヒータに通電することで第二内壁１７１ｂへの着霜を防止していた。
【００５１】
製氷室１０２においては、製氷室吐出風路１４３から製氷室１０２内に吹出された冷気が、製氷負荷により暖められて、製氷室戻り風路１７３に吸引される。
【００５２】
冷凍室１０５においては、冷凍室吐出風路１４４から冷凍室１０５内に吹出された冷気が、食材により暖められて、冷却室下端１０６ａに吸引される。
【００５３】
次に、各貯蔵室の全てが所定の温度以下となった場合、制御部１８０により圧縮機および冷却ファン１３０が停止するとともに、電動ツインダンパー１５０および電動ダンパー１６０が閉状態となる。
【００５４】
この時、冷蔵室戻り風路１７１内の温度は、近接する貯蔵室の温度や、冷却室１０６内の冷気の逆流により、運転時よりも低い温度でバランスする。
【００５５】
例えば、第一内壁１７１ａは、切換室１０３が冷凍設定であった場合、冷却運転時に比べて極端に表面温度が低下し、主に冷蔵室１０１内の湿気により、さらに着霜が促進されることになる。
【００５６】
また、第二内壁１７１ｂも、冷凍室１０５の影響を受け、冷却運転時に比べて極端に表面温度が低下し、主に野菜室１０４内の湿気により、さらに着霜が促進されることになる。
【００５７】
次に、一定時間がたつと、自動的に除霜運転に突入する。
【００５８】
除霜運転は、圧縮機および冷却ファン１３０を停止した後、電動ツインダンパー１５０および電動ダンパー１６０が閉状態で除霜ヒータ１２０に通電する。
【００５９】
徐霜ヒータ１２０への通電により生じた暖気は、冷却器１１０の霜を徐霜するとともに、生じた暖気が冷蔵室戻り風路１７１の内部を上昇するが、電動ツインダンパー１５０および電動ダンパー１６０が閉状態であることから、暖気の上昇が抑制されることになる。
【００６０】
加えて従来技術の場合、冷却器１１０の下方にのみ徐霜ヒータ１２０を配設しているので、徐霜ヒータ１２０で生成された暖気は、直接冷蔵室戻り風路１７１の内部に流入し難く、冷却室１０６の下方がある程度暖められた後に徐々に暖気が冷蔵室戻り風路１７１の内部に流入することになる。
【００６１】
これに対して本実施の形態では、冷蔵室戻り風路１７１の下部にも徐霜ヒータ１２０の発熱部が位置するので、生じた暖気は冷蔵室戻り風路１７１内部を上昇して、第一内壁１７１ａおよび第二内壁１７１ｂを暖めることができる。
【００６２】
さらに、図４、図５において制御部１８０は、徐霜運転開始から３分間経過した後、開閉フラップ１５１を１０分間開状態とする。
【００６３】
まず、徐霜運転開始から３分の間に徐霜ヒータ１２０が充分に暖められ、生成された暖気が冷蔵室戻り風路１７１内部を徐々に上昇していく、しかしながら開閉フラップ１５１および開閉フラップ１５２が閉状態の場合、暖気の上昇には限界がある。
【００６４】
そこで、徐霜運転開始から３分間経過した後、開閉フラップ１５１を１０分間開状態とすることで、図４に示すごとく、冷蔵室戻り風路１７１→冷蔵室１０１→冷蔵室吐出風路１４１→冷却室１０６を結ぶ第１循環経路が成立することとなり、冷蔵室戻り風路１７１において下から上に流れる暖気の上昇が促進されることになる。
【００６５】
ここで第１循環経路が成立する条件として、冷却室１０６全体の加熱度合いがあげられ、実験の結果、除霜運転の初期のように、未だ冷却室１０６全体が昇温してない場合は、第１循環経路が形成されることがわかっている。
【００６６】
これにより図５に示すよう、まず下方に位置する第二内壁１７１ｂの温度が急上昇して表面に成長した霜を徐霜する。これに若干遅れるかたちで上方に位置するする第一内壁１７１ａの温度も急上昇して表面に成長した霜を徐霜する。
【００６７】
この時、開閉フラップ１５１は開状態で、かつ開閉フラップ１６１は閉状態であることから、暖気の大半は冷蔵室１０１に向けて上昇し、切換室１０３への暖気の上昇は抑制され、徐霜運転による切換室１０３の温度上昇は抑制されることになる。
【００６８】
ここで、本実施の形態において冷蔵室１０１はその庫内容量が最も大きく、暖気の大半が流入しても庫内の温度上昇は問題にならない程度に抑えられる。
【００６９】
以上のように本実施の形態の冷蔵庫は、徐霜運転開始から３分遅延後、開閉フラップ１５１を１０分間開状態とすることで、冷蔵室戻り風路１７１において下から上に流れる暖気の上昇が促進されることになり、第一内壁１７１ａおよび第二内壁１７１ｂを十分に昇温することができ、第一内壁１７１ａおよび第二内壁１７１ｂに成長した霜を、除霜運転毎に除霜することができるので、温度補償用のヒータを別途設置する必要がなく低コスト化が図れる。
【００７０】
さらに、温度補償用のヒータを別途設置する必要がなく、冷却運転時に温度補償用のヒータに通電する必要がなくなることから省エネが可能となる。
【００７１】
（実施の形態２）
図６は本発明の実施の形態２における除霜運転時の空気の対流を示す動作図である。図７は本発明の実施の形態２における動作フロー図である。
【００７２】
図６、図７において、まず、徐霜運転開始から３分の間に徐霜ヒータ１２０が充分に暖められ、生成された暖気が冷蔵室戻り風路１７１内部を徐々に上昇していく、しかしながら開閉フラップ１５１および開閉フラップ１５２が閉状態の場合、暖気の上昇には限界がある。
【００７３】
そこで、徐霜運転開始から３分間経過した後、開閉フラップ１５２を開状態とする。これは、開閉フラップ１５１を開くよりも開閉フラップ１５２を開いた方が冷蔵室戻り風路１７１内部の温度上昇がすばやく行えることによる。
【００７４】
つまり、開閉フラップ１５１を開状態としたときに形成される第１循環経路よりも、開閉フラップ１５２を開状態としたときに形成される第２循環経路（切換室戻り風路１７２→切換室１０３→切換室吐出風路１４２→冷却室１０６）の方がより短く循環経路の圧力損失が小さいことにより暖気の上昇をより効率的に行えることによる。
【００７５】
しかしながら、開閉フラップ１５２の開放により、すばやく昇温が可能な範囲は、冷蔵室戻り風路１７１と切換室戻り風路１７２が合流する位置までであり、開閉フラップ１５２を開状態として３分間経過後、開閉フラップ１５２を閉状態に戻す。
【００７６】
以上の動作により、冷蔵室戻り風路１７１が十分に暖められた状態において、開閉フラップ１５１を開状態とする。
【００７７】
これにより図７に示すよう、まず下方に位置する第二内壁１７１ｂの温度が急上昇して表面に成長した霜を徐霜する。これに若干遅れるかたちで上方に位置するする第一内壁１７１ａの温度も急上昇して表面に成長した霜を徐霜する。
【００７８】
次に、開閉フラップ１５１を開状態として５分間経過後、開閉フラップ１５１を閉状態に戻す。
【００７９】
実験の結果、実施の形態１で説明したように、開閉フラップ１５１のみを除霜運転中に開状態とする制御仕様に比べて、本実施の形態の制御では、第一内壁１７１ａおよび第二内壁１７１ｂを短い時間でより高温に昇温することが可能である。
【００８０】
以上のように本実施の形態の冷蔵庫は、徐霜運転開始から３分遅延後、開閉フラップ１５２を３分間開状態とし、続いて開閉フラップ１５１を５分間開状態とすることで、冷蔵室戻り風路１７１において下から上に流れる暖気の上昇がより促進されることになり、第一内壁１７１ａおよび第二内壁１７１ｂを短時間で十分に昇温することができ、第一内壁１７１ａおよび第二内壁１７１ｂに成長した霜を、除霜運転毎に除霜することができるので、温度補償用のヒータを別途設置する必要がなく低コスト化が図れる。
【００８１】
さらに、温度補償用のヒータを別途設置する必要がなく、冷却運転時に温度補償用のヒータに通電する必要がなくなることから省エネが可能となる。
【００８２】
さらに、除霜運転による冷蔵室１０１の庫内昇温を抑制することができる。
【００８３】
（実施の形態３）
図８は本発明の実施の形態３における除霜運転時の空気の対流を示す動作図である。図９は本発明の実施の形態３における動作フロー図である。
【００８４】
図８、図９において、除霜運転終了後所定の待機時間を経て冷却運転が開始される。
【００８５】
従来技術では、冷却運転開始と同時に圧縮機が起動して３分間の遅延後に冷却ファン１３０が起動、各貯蔵室内の設けられた検温サーミスタ（詳細説明を省く）の示す温度により、電動ツインダンパー１５０および電動ダンパー１６０が開閉状態を切り替える。
【００８６】
つまり３分間の遅延時間は、電動ツインダンパー１５０および電動ダンパー１６０は閉状態である。
【００８７】
これに対して、本実施の形態においては、この３分間の遅延時間中に開閉フラップ１５１を開状態に制御した。これにより、冷却室１０６→冷蔵室吐出風路１４１→冷蔵室１０１→冷蔵室戻り風路１７１の順に流れる第３循環経路が形成される。
【００８８】
ここで第３循環経路が成立する条件として、冷却室１０６全体の加熱度合いがあげられ、実験の結果、除霜運転の完了後のように、冷却室１０６全体が十分に暖められたことで、冷却室１０６内の暖気が冷蔵室吐出風路１４１を上昇することにより、冷蔵室戻り風路１７１において上から下に向けた循環経路が形成されることがわかっている。
【００８９】
これにより図９に示すよう、冷蔵室戻り風路１７１には冷蔵室１０１の約５℃前後の空気が流入することで、第一内壁１７１ａおよび第二内壁１７１ｂの温度を一定値以上に維持することができる。
【００９０】
加えて、冷蔵室戻り風路１７１に上から下に向けた気流が形成されることで、第一内壁１７１ａおよび第二内壁１７１ｂに付着した除霜水の排水を促進することができる。
【００９１】
以上のように本実施の形態の冷蔵庫は、除霜運転後の冷却運転開始後の３分間の遅延状態中に、開閉フラップ１５１を開状態とすることで、冷蔵室１０１内の空気が冷蔵室戻り風路１７１に流れ込み、上から下に向けた気流が形成されることで、第一内壁１７１ａおよび第二内壁１７１ｂに付着した除霜水の排水を促進することができる。
【００９２】
以上のように、本発明にかかる冷蔵庫の除霜運転は、除霜運転毎に通風ダクト内に成長した霜を除霜でき、温度補償用のヒータを削減できるので、業務用冷蔵庫の用途にも適用できる。
【産業上の利用可能性】
【００９３】
本発明の冷蔵庫は、風路内の昇温が促進され除霜運転中に風路内に成長した霜を融かすことが可能となり、温度補償用のヒータを削減することができるので、冷蔵庫のみならず、除霜装置を備えた冷却機器に広く応用できる。
【図面の簡単な説明】
【００９４】
【図１】本発明による冷蔵庫の実施の形態１の冷蔵庫の風路構成図
【図２】本発明による冷蔵庫の実施の形態１のＡ−Ａ断面図
【図３】本発明による冷蔵庫の実施の形態１のＢ−Ｂ断面図
【図４】本発明による冷蔵庫の実施の形態１の除霜運転時の空気の対流を示す動作図
【図５】本発明による冷蔵庫の実施の形態１の動作フロー図
【図６】本発明による冷蔵庫の実施の形態２の除霜運転時の空気の対流を示す動作図
【図７】本発明による冷蔵庫の実施の形態２の動作フロー図
【図８】本発明による冷蔵庫の実施の形態３の除霜運転時の空気の対流を示す動作図
【図９】本発明による冷蔵庫の実施の形態３の動作フロー図
【図１０】従来の扉を除去した状態での風路構造を示す冷蔵庫の斜視図
【図１１】同冷蔵庫の断面図
【図１２】従来の他の例の扉を除去した状態での風路構造を示す冷蔵庫の斜視図
【図１３】同冷蔵庫の断面図
【図１４】同冷蔵庫の冷却器周辺の縦断面図
【図１５】同冷蔵庫の冷却器周辺の平面断面図
【符号の説明】
【００９５】
１００  冷蔵庫本体（断熱箱体）
１０１  冷蔵室（冷蔵温度帯の貯蔵室）
１０３  切換室（冷蔵温度帯もしくは冷凍温度帯の貯蔵室）
１０４  野菜室（冷蔵温度帯の貯蔵室）
１０５  冷凍室（冷凍温度帯の貯蔵室）
１０７  断熱壁（断熱仕切り）
１１０  冷却器
１２０  除霜ヒータ
１３０  冷却ファン
１４１  冷蔵室吐出風路（第１吐出風路）
１４２  切換室吐出風路（第２吐出風路）
１７１  冷蔵室戻り風路（第１戻り風路）
１７２  切換室戻り風路（第１戻り風路）
１５０  電動ツインダンパー（風路切換手段）
１５１  開閉フラップ（第１風路切換え手段）
１５２  開閉フラップ（第１風路切換え手段）
１８０  制御部（制御手段）
【図１】
2008075939.tif 000003
【図２】
2008075939.tif 000004
【図３】
2008075939.tif 000005
【図４】
2008075939.tif 000006
【図５】
2008075939.tif 000007
【図６】
2008075939.tif 000008
【図７】
2008075939.tif 000009
【図８】
2008075939.tif 000010
【図９】
2008075939.tif 000011
【図１０】
2008075939.tif 000012
【図１１】
2008075939.tif 000013
【図１２】
2008075939.tif 000014
【図１３】
2008075939.tif 000015
【図１４】
2008075939.tif 000016
【図１５】
2008075939.tif 000017